(57)【要約】      （修正有）【課題】コーナー部を締めて結ぶ面倒がなく、取扱や安定性に優れた誰でも使いやすいユニバーサルデザインを実現し、さらに自由な使用が可能な風呂敷を提供する。【解決手段】４つのコーナー部１，２，３，４を有する風呂敷１００において、一方の対角線上の２つのコーナー部１，２を連結する連結部５ａ，５ｂを設け、他方の対角線上の２つのコーナー部３，４にそれぞれ、連結部５ａ，５ｂにより連結された一方の対角線上の２つのコーナー部１，２が挿通可能な孔部６ａ，６ｂを設ける。連結部５ａ，５ｂが設けられた２つのコーナー部１，２を結ぶ一方の対角線の長さＬ１が、孔部６ａ，６ｂが設けられた２つのコーナー部３，４を結ぶ他方の対角線の長さＬ２よりも長いことが好ましい。【選択図】図１
0003153791.tif 000002
【実用新案登録請求の範囲】
【請求項１】
４つのコーナー部を有する風呂敷において、一方の対角線上の２つのコーナー部を連結する連結部を設け、他方の対角線上の２つのコーナー部にそれぞれ、前記連結部により連結された前記一方の対角線上の２つのコーナー部が挿通可能な孔部を設けたことを特徴とする風呂敷。
【請求項２】
前記連結部が設けられた２つのコーナー部を結ぶ一方の対角線の長さが、前記孔部が設けられた２つのコーナー部を結ぶ他方の対角線の長さよりも長いことを特徴とする請求項１に記載の風呂敷。
【請求項３】
前記連結部が、ボタンとスリットであることを特徴とする請求項１又は請求項２に記載の風呂敷。
【請求項４】
前記孔部が、スリットであることを特徴とする請求項１乃至請求項３のうちいずれか１つに記載の風呂敷。
【考案の詳細な説明】
【技術分野】
【０００１】
本考案は、被包装物を容易に包んで持ち運ぶことの可能な、風呂敷に関するものである。
【背景技術】
【０００２】
従来、物を包んで持ち運ぶための道具として、風呂敷が使用されている。この風呂敷は、一枚の布でありながら、様々な形状、大きさの物を包むことができるため、大変便利なものであり、特に省資源化が重要視される今日では、レジ袋に代えて使用するなど、その役割が見直されている。
【０００３】
しかし、一方で風呂敷は、物を包む際にコーナー部を締めて結ぶ必要があるため、この点が面倒である。特に高齢者や子供、あるいは手先が不自由な人などが使用する場合には、うまく結べないことがある。
【０００４】
これに対しては、コーナー部を締めて結ぶ手間を省いた様々な風呂敷が考案されており、例えば特許文献１には、風呂敷本体の四隅部にスリットを設け、被包装物を包むように四隅部を一カ所に寄せ集め、２つの隅部を残りの２つの隅部のスリットに挿通し、挿通した隅部のスリットを手提げ用の提げ部として使用するようにした考案が記載されている。
【先行技術文献】
【特許文献】
【０００５】
【特許文献１】実用新案登録第３１２９９４９号公報
【考案の概要】
【考案が解決しようとする課題】
【０００６】
しかしながら、上記特許文献１に記載された発明においては、手提げ用の提げ部が形成された２つの隅部を、残り２つの隅部のスリットに対して、それぞれ別々に挿通させるため手間がかかることや、使用時に一方の提げ部が抜け落ちてしまう危険性があるなど、特に高齢者や子供、あるいは手先が不自由な人などが使用する場合の取扱や安定性に課題がある。また、使用時の手提げ用の提げ部の長さが不十分となって、自由な使用が制限される場合がある。
【０００７】
本考案は、上記従来の課題を解決するものであり、コーナー部を締めて結ぶ面倒がなく、取扱や安定性に優れた誰でも使いやすいユニバーサルデザインを実現し、さらに自由な使用が可能な風呂敷を提供するものである。
【課題を解決するための手段】
【０００８】
請求項１に係る考案の風呂敷は、４つのコーナー部を有する風呂敷において、一方の対角線上の２つのコーナー部を連結する連結部を設け、他方の対角線上の２つのコーナー部にそれぞれ、前記連結部により連結された前記一方の対角線上の２つのコーナー部が挿通可能な孔部を設けたことを特徴とする。
【０００９】
請求項２に係る考案は、請求項１に記載の風呂敷において、前記連結部が設けられた２つのコーナー部を結ぶ一方の対角線の長さが、前記孔部が設けられた２つのコーナー部を結ぶ他方の対角線の長さよりも長いことを特徴とする。
【００１０】
請求項３に係る考案は、請求項１又は請求項２に記載の風呂敷において、前記連結部が、ボタンとスリットであることを特徴とする。
【００１１】
請求項４に係る考案は、請求項１乃至請求項３のうちいずれか１つに記載の風呂敷において、前記孔部が、スリットであることを特徴とする。
【考案の効果】
【００１２】
請求項１に記載の考案によれば、４つのコーナー部を有する風呂敷において、一方の対角線上の２つのコーナー部を連結する連結部を設けたので、２つのコーナー部を締めて結ばなくても連結部により連結することができて面倒がない。
【００１３】
また、連結部により連結された一方の対角線上の２つのコーナー部を、他方の対角線上の２つのコーナー部にそれぞれ設けられた孔部から挿通させることができるので、コーナー部を１つずつ別々に挿通させるのに比べて取扱が容易である。また、被包装物を包んだ状態で、挿通させた２つのコーナー部の連結部分を提げて風呂敷を使用することができる。このとき、挿通させた２つのコーナー部は、連結部により連結されているので、使用時に一方のコーナー部だけが抜け落ちてしまうことはなく安定的である。
【００１４】
また、請求項２に記載の考案によれば、連結部が設けられた２つのコーナー部を結ぶ対角線の長さが、孔部が設けられた２つのコーナー部を結ぶ対角線の長さよりも長いので、被包装物を包んだ状態で、挿通させた２つのコーナー部を、上方に十分に突出させることができる。これにより、使用時の手提げ用の提げ部の長さが十分に確保され、例えば肩にかけて使用するなど、自由な使用が可能である。
【００１５】
また、請求項３に記載の考案によれば、連結部がボタンとスリットであるので、着脱容易であり、また２つのコーナー部を強固に連結することができる。
【００１６】
また、請求項４に記載の考案によれば、孔部がスリットであるので、連結された２つのコーナー部を容易に挿通させることができ、また加工も容易である。
【００１７】
以上、本考案によれば、コーナー部を締めて結ぶ面倒がなく、取扱や安定性に優れた誰でも使いやすいユニバーサルデザインを実現し、さらに自由な使用が可能な風呂敷を提供することができる。
【図面の簡単な説明】
【００１８】
【図１】本考案の実施形態に係る風呂敷の表側面を示す図である。
【図２】本実施形態に係る風呂敷の裏側面を示す図である。
【図３】本実施形態に係る風呂敷のコーナー部を示す拡大図である。
【図４】本実施形態に係る風呂敷のコーナー部を示す拡大図である。
【図５】本実施形態に係る風呂敷の使用状態を示す斜視図である。
【図６】本実施形態に係る風呂敷の使用状態を示す斜視図である。
【図７】本実施形態に係る風呂敷の使用状態を示す斜視図である。
【図８】本実施形態に係る風呂敷の使用状態を示す斜視図である。
【図９】本実施形態に係る風呂敷の使用状態を示す斜視図である。
【図１０】他の実施形態に係る風呂敷のコーナー部を示す拡大図である。
【図１１】他の実施形態に係る風呂敷のコーナー部を示す拡大図である。
【図１２】他の実施形態に係る風呂敷のコーナー部を示す拡大図である。
【図１３】他の実施形態に係る風呂敷の表側面を示す図である。
【図１４】他の実施形態に係る風呂敷の表側面を示す図である。
【考案を実施するための形態】
【００１９】
次に、図１乃至図４を参照して、本考案の実施形態に係る風呂敷の構成について説明する。図１は、本実施形態に係る風呂敷１００の表側面を示す図であり、図２は、風呂敷１００の裏側面を示す図である。
【００２０】
図１及び図２に示すように、風呂敷１００は、４つのコーナー部１，２，３，４を有する四角形の布状体であり、綿、絹などの天然繊維や、ポリエステル、ナイロンなどの合成繊維など、様々な材質の布により形成することができる。なお、図１中の×印は、風呂敷１００の表側面に描かれた模様である。
【００２１】
４つのコーナー部のうち、一方の対角線上の２つのコーナー部１，２には、２つのコーナー部１，２を連結する連結部５が設けられている。すなわち、コーナー部１の表側面には、裏側面のボタン止め５ｃにより、ボタン５ａが取り付けられており、コーナー部２にはスリット５ｂが形成されている。そして、ボタン５ａをスリット５ｂに挿通させて係止することにより、２つのコーナー部１，２を連結することができるようになっている。
【００２２】
また、４つのコーナー部のうち、他方の対角線上の２つのコーナー部３，４には、それぞれ孔部６として、スリット６ａ，６ｂが設けられている。スリット６ａ，６ｂは、連結部５により連結された２つのコーナー部１，２が挿通可能な大きさになっている。
【００２３】
また、「一方の対角線」である、連結部５が設けられた２つのコーナー部１，２を結ぶ対角線の長さＬ１は、「他方の対角線」である、孔部６が設けられた２つのコーナー部３，４を結ぶ対角線の長さＬ２よりも長くなっている（Ｌ１＞Ｌ２）。そのため、風呂敷１００は、全体として菱形に形成されている。
【００２４】
図３は、風呂敷１００のコーナー部１，２を示す拡大図であり、図４は、風呂敷１００のコーナー部３，４を示す拡大図である。図３及び図４に示すように、コーナー部２のスリット５ｂ、コーナー部３のスリット６ａ、コーナー部４のスリット６ｂには、補強のために縁取り７が設けられている。
【００２５】
次に、図５乃至図９を参照して、本実施形態に係る風呂敷１００の使用方法について説明する。図５乃至図９は、風呂敷１００の使用状態を示す斜視図である。以下では、風呂敷１００に直方体状の被包装物８を包んで持ち運ぶ状態について説明する。
【００２６】
まず、図５に示すように、風呂敷１００を、裏側面を上にして広げる。次に、図６に示すように、風呂敷１００の中央部分に被包装物８を置く。
【００２７】
次に、コーナー部１を掴んで風呂敷１００を折り曲げながら被包装物８の上に載せ、続いてコーナー部２を掴んで風呂敷１００を折り曲げながらコーナー部１の上に載せる。そして、図７に示すように、コーナー部１に取り付けられたボタン５ａを、コーナー部２に形成されたスリット５ｂに挿通させて係止させる。これにより、コーナー部１とコーナー部２が連結された状態になる。
【００２８】
次に、コーナー部４を掴んで風呂敷１００を折り曲げながら連結されたコーナー部１，２の上に載せ、続いてコーナー部３を掴んで風呂敷１００を折り曲げながらコーナー部４の上に載せる。これにより、図８に示す状態となり、被包装物８が覆われる。このとき、被包装物８の上面には、コーナー部１、コーナー部２、コーナー部４、コーナー部３が順番に載せられた状態になっている。
【００２９】
次に、連結されたコーナー部１，２を、コーナー部４のスリット６ｂに挿通させ、続いてコーナー部３のスリット６ａに挿通させて上方に引き出す。これにより、図９に示す状態となり、被包装物８は風呂敷１００に完全に包まれるとともに、引き出されたコーナー部１，２の連結部分が提げ部になる。そして、提げ部であるコーナー部１，２の連結部分を提げて持ち運べばよい。このとき、コーナー部１，２を結ぶ対角線の長さＬ１が、コーナー部３，４を結ぶ対角線の長さＬ２よりも長くなっていることにより、形成された提げ部は十分な長さを有しており、手で提げるほかにも、肩にかけるなど自由に使用することができる。
【００３０】
本実施形態に係る風呂敷１００によれば、４つのコーナー部１，２，３，４を有する風呂敷１００において、一方の対角線上の２つのコーナー部１，２を連結する連結部５（ボタン５ａ，スリット５ｂ）を設けたので、２つのコーナー部１，２を締めて結ばなくても連結部５により連結することができて面倒がない。
【００３１】
また、連結部５により連結された一方の対角線上の２つのコーナー部１，２を、他方の対角線上の２つのコーナー部３，４にそれぞれ設けられた孔部６（スリット６ａ，６ｂ）から挿通させることができるので、コーナー部１，２を１つずつ別々に挿通させるのに比べて取扱が容易である。また、被包装物８を包んだ状態で、挿通させた２つのコーナー部１，２の連結部分を提げて風呂敷１００を使用することができる。このとき、挿通させた２つのコーナー部１，２は、連結部５により連結されているので、使用時に一方のコーナー部だけが抜け落ちてしまうことはなく安定的である。
【００３２】
また、連結部５が設けられた２つのコーナー部１，２を結ぶ対角線の長さＬ１の方が、孔部６が設けられた２つのコーナー部３，４を結ぶ対角線の長さＬ２よりも長いので、被包装物８を包んだ状態で、挿通させた２つのコーナー部１，２を、上方に十分に突出させることができる。これにより、使用時の手提げ用の提げ部の長さが十分に確保され、例えば肩にかけて使用するなど、自由な使用が可能である。
【００３３】
また、連結部５がボタン５ａとスリット５ｂであるので、着脱容易であり、また２つのコーナー部１，２を強固に連結することができる。
【００３４】
また、孔部６がスリット６ａ，６ｂであるので、連結された２つのコーナー部１，２を容易に挿通させることができ、また加工も容易である。
【００３５】
以上、本実施形態によれば、コーナー部を締めて結ぶ面倒がなく、取扱や安定性に優れた誰でも使いやすいユニバーサルデザインを実現し、さらに自由な使用が可能な風呂敷１００を提供することができる。
【００３６】
なお、本実施形態においては、連結部５をボタン５ａとスリット５ｂにより構成したが、コーナー部１，２を連結可能な構成であれば、特に限定されない。例えば、図１０及び図１１は、他の実施形態に係る風呂敷１００のコーナー部１，２を示す拡大図である。図１０に示す実施形態は、連結部として、スナップボタン９ａ，９ｂを用いたものである。また図１１に示す実施形態は、連結部として、フック１０ａ，１０ｂを用いたものである。
【００３７】
また、本実施形態においては、孔部６をスリット６ａ，６ｂにより構成したが、連結した２つのコーナー部１，２が挿通可能であれば、特に限定されない。例えば、図１２は、他の実施形態に係る風呂敷１００のコーナー部３，４を示す拡大図である。図１２に示す実施形態は、孔部として、楕円孔１１ａ，１１ｂを形成したものである。
【００３８】
また、本実施形態においては、連結部５が設けられた２つのコーナー部１，２を結ぶ対角線の長さＬ１の方が、孔部６が設けられた２つのコーナー部３，４を結ぶ対角線の長さＬ２よりも長い構成（Ｌ１＞Ｌ２）としたが、その他の構成も可能である。例えば、図１３に示す風呂敷２００は、連結部５が設けられた２つのコーナー部２１，２２を結ぶ対角線の長さＬ３と、孔部６が設けられた２つのコーナー部２３，２４を結ぶ対角線の長さＬ４とを等しくしたものである（Ｌ３＝Ｌ４）。また、図１４に示す風呂敷３００は、連結部５が設けられた２つのコーナー部３１，３２を結ぶ対角線の長さＬ５を、孔部６が設けられた２つのコーナー部３３，３４を結ぶ対角線の長さＬ６よりも短くしたものである（Ｌ５＜Ｌ６）。風呂敷２００や風呂敷３００においても、２つのコーナー部を締めて結ばなくても連結部５により連結することができて面倒がなく、使用時に一方のコーナー部だけが抜け落ちてしまうことはない。
【符号の説明】
【００３９】
１    コーナー部
２    コーナー部
３    コーナー部
４    コーナー部
５    連結部
５ａ  ボタン
５ｂ  スリット
５ｃ  ボタン止め
６    孔部
６ａ  スリット
６ｂ  スリット
７    縁取り
８    被包装物
９    連結部
９ａ  スナップボタン
９ｂ  スナップボタン
１０    連結部
１０ａ  フック
１０ｂ  フック
１１    孔部
１１ａ  楕円孔
１１ｂ  楕円孔
２１    コーナー部
２２    コーナー部
２３    コーナー部
２４    コーナー部
３１    コーナー部
３２    コーナー部
３３    コーナー部
３４    コーナー部
１００    風呂敷
２００    風呂敷
３００    風呂敷
【図１】
0003153791.tif 000003
【図２】
0003153791.tif 000004
【図３】
0003153791.tif 000005
【図４】
0003153791.tif 000006
【図５】
0003153791.tif 000007
【図６】
0003153791.tif 000008
【図７】
0003153791.tif 000009
【図８】
0003153791.tif 000010
【図９】
0003153791.tif 000011
【図１０】
0003153791.tif 000012
【図１１】
0003153791.tif 000013
【図１２】
0003153791.tif 000014
【図１３】
0003153791.tif 000015
【図１４】
0003153791.tif 000016